(57)【要約】  【課題】  引手は飾りボタンタイプで安定した状態で胴体に保持でき、引手を自由に交換できる引手後付けタイプのスライダーを提供する。  【解決手段】  スライダーの胴体１上に一対の取付片２１を立設し、取付片２１に二叉状の爪杆１９と側面形状が鍵形状を呈し先端に間隙部が形成される引手取付杆１８を片持状に固定し、間隙部を封鎖できる閉鎖体２０を弾接可能に形成するとともに、引手２は引手本体４の裏面に一対の長尺状の突出部５を設けて胴体１に対し安定した状態で保持でき、突出部５の中央に枢軸を架設し、枢軸を爪杆１９と引手取付杆１８に挿入して閉鎖体２０で間隙部を封鎖する。引手取り替えのときは閉鎖体２０を押し込み枢軸を間隙部から取り外して交換する。【選択図】  図１
2005176911.tif 000002
【特許請求の範囲】
【請求項１】
一端に引手２の枢軸６挿通間隙部４７を有し、引手２の枢軸６を直接または間接に収容可能な収容部４６を設けた引手取付杆１８を上翼板１５上に片持状に固定し、挿通間隙部４７を弾発状に閉鎖可能な閉鎖体２０を配設したスライダーにおいて、引手２は引手本体４の裏面に一対の突出部５を突設し、突出部５に枢軸６を架設し、突出部５の外方端は少なくとも一方が開放された開放部７を形成した引手２を具備してなることを特徴とするスライドファスナー用スライダー。
【請求項２】
引手本体４の突出部５は、引手取付杆１８の側面と略同等の長さで連続状に形成してなる請求項１記載のスライドファスナー用スライダー。
【請求項３】
引手本体４は、突出部５間に胴体１の引手取付杆１８を揺動可能に収容してなる請求項１記載のスライドファスナー用スライダー。
【請求項４】
引手本体４は、突出部５の外方端の隅角部９を支点として前後に揺動自在に形成してなる請求項１記載のスライドファスナー用スライダー。
【請求項５】
引手本体４は、突出部５の外側縁部１０を支点として左右に揺動自在に形成してなる請求項１記載のスライドファスナー用スライダー。
【請求項６】
引手本体４は、引手本体４の裏面に突出部５間の間隔で凹陥部８を形成してなる請求項１記載のスライドファスナー用スライダー。
【請求項７】
引手２は、引手本体４、突出部５、枢軸６を一体成形で一体に形成してなる請求項１記載のスライドファスナー用スライダー。
【発明の詳細な説明】
【技術分野】
【０００１】
この発明は、衣服、鞄などの開口部に取り付けたスライドファスナーにおいて、引手は飾りボタンタイプの引手であって、装飾的要素を重んずる場合に用いる引手後付けタイプのスライドファスナー用スライダーに関するものである。
【背景技術】
【０００２】
従来、装飾的摘み部を備えた引手から形成されたスライドファスナー用スライダーが知られている。例えば図１０に示すように、表面に装飾板を固定した引手基板の裏面に２条の脚部を設け、この脚部の下端に内方へ向けて隆起する係止部を設け、胴体の上面に設けた引手取付杆に対し、引手基板を被覆し押圧して取付杆と係止部とをスナップ係合させる装飾用スライダーが知られている。
【０００３】
また、装飾的摘み部を備えた自動停止装置付スライドファスナー用スライダーが知られている。例えば図１１に示すように、胴体上面に対し板スプリングを載置した停止板を内装したキャップを固定し、この停止板に上部がキャップの表面へ現出する四角環状の固定板を装着し、この固定板に摘み部の収容部に刻設した固定溝を嵌入して摘み部を固定した自動停止装置付スライダーが知られている。
【特許文献１】フランス特許発明第２２４８８０１号明細書
【特許文献２】ドイツ実用新案登録第２０１１９６０６号明細書
【発明の開示】
【発明が解決しようとする課題】
【０００４】
前述の図１０に示した装飾用スライダーは、引手基板をスライダーの胴体へ取り付ける機構が単なるスナップ係合機構であるから、引手基板に上方への引っ張り力が働くと簡単に引手基板が引手取付杆から脱却する恐れがあり、引手基板を自由に揺動操作することができないなど問題点がある。
【０００５】
また図１１に示した自動停止装置付スライダーは、スライダーの機構上、摘み部と固定板とを別体に形成する必要があり、別体に形成することはスライダーの組立てが面倒であり、またコスト高になる。さらにこのタイプの自動停止機構を備えたスライダーは、一度組み立てると摘み部を交換することを望んでも取り替えることが不可能であるなど問題点がある。
【０００６】
この発明は、上述の問題点を考慮して発明されたものであり、請求項１記載の発明は、自動停止機構を備えたスライダー、また自由スライダーであり、引手は引手後付けタイプのスライダー専用の引手であって、装飾体を備えた飾りボタンの引手本体を、引手後付けタイプのスライダーに簡易に取り付けることができ、かつまた飾りボタンの引手本体を一度胴体に取り付けた後で交換を望んだとき、自由に引手本体を取り替えることができるスライドファスナー用スライダーを提供することが主たる目的である。
【０００７】
請求項２記載の発明は、請求項１記載の発明の目的に加え、引手本体の裏面に設置する突出部は、連続状に形成することで、引手本体を安定した状態でガイドして挿入し取り付けることができ、特に停止爪杆を備えた自動停止装置付スライダーにおいては、引手本体を爪杆によって胴体上へ押し付け、引手が妄りにふらつくことがない安定した状態で保持できるスライドファスナー用スライダーを提供することが目的である。
【０００８】
請求項３記載の発明は、請求項１記載の発明の目的に加え、引手本体は裏面に形成した突出部間に胴体の引手取付杆を円滑に揺動できるように収容したスライドファスナー用スライダーを提供することが目的である。
【０００９】
請求項４および５記載の発明は、それぞれ請求項１記載の発明に加え、引手本体は裏面に形成した突出部の外方端の隅角部、また突出部の外側縁部を支点として、スライダーの前後方向および左右方向に揺動できるスライドファスナー用スライダーを提供することが目的である。
【００１０】
請求項６記載の発明は、請求項１記載の発明の目的に加え、引手本体は余裕をもって胴体の引手取付杆を収容し、取り付けることができるスライドファスナー用スライダーを提供することが目的である。
【００１１】
請求項７記載の発明は、請求項１記載の発明の目的に加え、引手を頑丈で変形ができない形態に形成し、引手の操作を円滑かつ的確に行えるスライドファスナー用スライダーを提供することが目的である。
【課題を解決するための手段】
【００１２】
前記の目的を達成するため、この発明のうち請求項１記載の発明は、スライダーは一端に引手２の枢軸６を挿通することができる間隙部４７を有し、かつ引手２の枢軸６を直接または間接に収容することができる収容部４６を設置した引手取付杆１８を胴体１の上翼板１５の上面に片持状に固定し、枢軸６を挿通できる間隙部４７を弾発的に閉鎖できる閉鎖体２０を挿通用の間隙部４７に配設したスライダーにおいて、引手２は引手本体４の裏面に平行状に延びる一対の突出部５を突設し、この突出部５に引手取付杆１８の収容部４６に収容できる枢軸６を架設し、平行状に突設した突出部５の外方端は少なくとも一方が開放された状態の開放部７を形成して引手本体４を引手取付杆１８に簡易に装着できる引手２を具備したスライドファスナー用スライダーを主な構成とするものである。
【００１３】
請求項２記載の発明は、請求項１記載の発明の構成に加え、胴体１の引手取付杆１８に取り付ける引手本体４の突出部５は、引手取付杆１８の側面と略同等の長さをもって連続状に形成したスライドファスナー用スライダーである。
【００１４】
請求項３記載の発明は、請求項１記載の発明の構成に加え、引手本体４は裏面に形成した平行状の突出部５間に胴体１の引手取付杆１８を自由に揺動できる状態に収容したスライドファスナー用スライダーである。
【００１５】
請求項４記載の発明は、請求項１記載の発明の構成に加え、引手本体４は裏面に形成した平行状の突出部５は、その外方端の隅角部９を支点として、スライダーの前後方向へ自由に揺動できるように形成したスライドファスナー用スライダーである。
【００１６】
請求項５記載の発明は、請求項１記載の発明の構成に加え、引手本体４は裏面に形成した平行状の突出部５は、その外側縁部１０を支点として、スライダーの左右方向に自由に揺動できるように形成したスライドファスナー用スライダーである。
【００１７】
請求項６記載の発明は、請求項１記載の発明の構成に加え、引手本体４は引手本体４の裏面に平行状に形成した突出部５間に引手取付杆１８が収容できる凹陥部８を形成したスライドファスナー用スライダーである。
【００１８】
請求項７記載の発明は、請求項１記載の発明の構成に加え、引手２は引手本体４、突出部５、枢軸６の三部位を一体成形手段で一体に形成したスライドファスナー用スライダーである。
【発明の効果】
【００１９】
この出願の発明の効果として、請求項１記載の発明は、引手が本体の裏面に一対の突出部を突設し、突出部に枢軸を架設し、突出部の外方端は少なくとも一方が開放された開放部を形成しているため、スライダーは一端に引手の枢軸挿通間隙を有し、引手の枢軸を直接または間接に収容可能な収容部を設けた引手取付杆を上翼板上に片持状に固定し、挿通間隙を弾発状に閉鎖可能な閉鎖可能な閉鎖体を配した引手後付けタイプのスライダーに最適な形態の引手であり、胴体への装着が簡易に行うことができ、そのうえ引手本体の表面に各種の装飾体を簡単に装設して意匠的に優れたスライダーに仕上げられ、スライダーの適用範囲の拡張が図れ、かつまた使用中でも簡単に引手を取り替えることができる効果がある。
【００２０】
請求項２記載の発明は、請求項１記載の発明の効果に加え、引手本体の突出部は、引手取付杆の側面と略同等の長さで連続状に形成したことによって、引手本体を自動および自由のいずれのスライダーに対しても、引手取付杆へ安定した状態でガイドして挿入し取り付けることができ、特に爪杆を備えた自動停止装置付スライダーにおいては、引手本体を爪杆によって胴体上へ押し付け、引手本体が妄りに揺動することがなく安定した状態で保持できる効果がある。
【００２１】
請求項３記載の発明は、請求項１記載の発明の効果に加え、引手本体は、突出部間に胴体の引手取付杆を揺動可能に収容したことによって、引手本体を安定した状態で固定でき、かつ揺動ができるので、スライダーの摺動操作を円滑に行うことができる効果がある。
【００２２】
請求項４および５記載の発明は、それぞれ請求項１記載の発明の効果に加え、引手本体は、突出部の外方端の隅角部を支点として前後に揺動自在、また突出部の外側縁部を支点として左右に揺動自在に形成したことによって、引手本体を胴体に対し前後に自由に揺動でき、また左右に自由に揺動できるので、引手の引っ張り操作が円滑に行うことができる効果がある。
【００２３】
請求項６記載の発明は、請求項１記載の発明の効果に加え、引手本体は、本体の裏面に突出部間の間隔で凹陥部を形成したことによって、引手本体の裏面を有効に活用して引手取付杆を余裕をもって収容し、引手本体を小型化できる効果がある。
【００２４】
請求項７記載の発明は、請求項１記載の発明の効果に加え、引手は、引手本体、突出部、枢軸を一体成形で一体に形成したことによって、引手を頑丈に形成することができ、かつ引手の取付けが簡易に行うことができる効果があるなど、この発明が奏する効果は顕著である。
【発明を実施するための最良の形態】
【００２５】
この発明のスライドファスナー用スライダーは、引手後付けタイプの自動停止装置付スライダーおよび引手後付けタイプの自由スライダーに活用する専用の引手であり、引手２は各種形状の引手本体４の裏面に一対の突出部５を平行状に突設し、この一対の突出部５に胴体１の引手取付杆１８の収容部４６および爪杆１９の作動凹部３９に挿通できる枢軸６を架設し、突出部５の前後両端は開放された開放部７を形成し、また突出部５間の裏面に引手取付杆１８の上側を収容できる凹陥部８を設け、これらの引手本体４、突出部５、枢軸６を亜鉛合金、アルミニウム合金などの金属素材を用いてダイカスト成形によって一体成形して作製する。
【００２６】
引手後付けタイプの自動停止装置付スライダーは、胴体１の上翼板１５の上面に、先端が引手本体４に設けた枢軸６が挿通できる間隙部４７を設けた引手取付杆１８を片持状に固定して収容部４６を設け、引手取付杆１８の内部に停止爪３８を有する爪杆１９を内装し、爪杆１９は後口側に作動凹部３９を設けて間接的に枢軸６を収容部４６に収容し、作動凹部３９の反対側にスプリング４１を弾接して停止爪３８をエレメントガイド溝５５へ突出させ、上翼板１５の上面には引手取付杆１８の幅寸法で後口部２８から引手取付杆１８の基部４３まで凹部３６を設け、この凹部３６に引手取付杆１８の端部に設けた間隙部４７を閉鎖する閉鎖体２０をスプリング３２を介在させて間隙部４７へ内側から弾接させるスライダーである。
【００２７】
引手２をスライダーに組み込むには、引手本体４の枢軸６を引手取付杆１８の間隙部４７から閉鎖体２０を内側へ押圧して、枢軸６を爪杆１９の作動凹部３９および収容部４６へ押入してセットすればスライダーは完成する。
【００２８】
引手後付けタイプの自由スライダーは、胴体１の上翼板１５の上面に、先端に引手本体４に設けた枢軸６が挿通できる間隙部４７を設けた引手取付杆１８を片持状に固定し、引手取付杆１８内に収容部４６を設けて直接的に枢軸６を収容する。引手取付杆１８の間隙部４７における上翼板１５に後口部２８から中央にかけて摺動凹部２３を設けて間隙部４７を閉鎖できる閉鎖体２０を挿入し、スプリング３２を介して弾発的に摺動させるとともに、脱落できないように入口をかしめて封止し、間隙部４７を閉鎖した自由スライダーである。
【００２９】
引手２をスライダーに組み込むには、引手本体４の枢軸６を引手取付杆１８の間隙部４７から閉鎖体２０を内側へ押圧して摺動させ枢軸６を収容部４６へ押入し、閉鎖体２０を復帰させればスライダーは完成する。
【実施例１】
【００３０】
図１に示す実施例１のスライドファスナー用スライダーは、引手後付けタイプの自動停止装置付スライダーであり、スライダーの胴体１は上翼板１５と下翼板１６とを案内柱１７で連結し、上翼板１５の上面で案内柱１７の上側に一対の取付片２１を立設し、この取付片２１の基部から後口部２８に向けて爪杆１９が遊嵌できる爪孔２２を設け、この爪孔２２から後口部２８にかけて引手取付杆１８と同一幅の凹状の摺動凹部２３を凹設して閉鎖体２０が摺動できるように形成し、摺動凹部２３の側壁に閉鎖体２０の両側に突設した突条３１を嵌入できる案内溝２４を設け、一方の案内溝２４にはコイル状のスプリング３２が挿入できる挿入溝２５を併設し、挿入溝２５にスプリング３２を配して一端を閉鎖体２０に弾接して閉鎖体２０を外方へ弾発させる。
【００３１】
取付片２１には、ピン５３が挿通できる軸孔２６を設け、ピン５３は爪杆１９に設けた軸孔３７および引手取付杆１８に設けた軸孔４５にそれぞれ挿通する。取付片２１の両外側の根元には引手取付杆１８の基部４３を嵌入して固定できる取付溝２７が設けてある。また摺動凹部２３の後口部２８の外側に小突起３０を突設して摺動凹部２３へ圧潰することによって、摺動凹部２３に配される閉鎖体２０が摺動凹部２３から脱落するのを防止する。
【００３２】
爪杆１９は全体が二叉状に形成され、一方の端部には停止爪３８が曲設され、基部分に軸孔３７を設けるとともに、基部分が凹状に切欠された部位に、引手２の枢軸６が挿入できる作動凹部３９を設け、また基部分の外端には胴体１との間に配されるスプリング４１と弾接する当接部４０を設け、停止爪３８を常時エレメントガイド溝５５へ突出させる。
【００３３】
閉鎖体２０は、爪杆１９の作動を妨害しないように先端が分岐した窓孔３３を設け、一端には引手取付杆１８と胴体１上面に形成する間隙部４７を閉鎖できる閉鎖部３４を隆起状に設け、他端には引手２の枢軸６の通過を阻止するための突起部３５を設け、常時は引手取付杆１８の突部５０とで枢軸６の脱出を阻止する。また上面中央には枢軸６を仮収容できる凹部３６を凹設し、両側壁には突条３１を設けて案内溝２４に挿入する。
【００３４】
引手取付杆１８は、内側が空洞化した空洞部４４から形成された側面形状が略鍵形で先端が内向に曲折した形状を呈し、一端の基部４３は胴体１の取付片２１を収納し、下端を取付片２１の根元に設けた取付溝２７に嵌入し片持状に固定する。引手取付杆１８の先端の端部４９は胴体１の後口部２８との間に間隙部４７が形成されるように形成し、中央には引手２の枢軸６を収容できる円弧状の収容部４６を設け、かつ収容部４６と端部４９との間に枢軸６を仮収容できる円弧状の退避凹部４８を設け、収容部４６と退避凹部４８との間に突部５０を設けて常時は閉鎖体２０の突起部３５とで枢軸６の脱出を阻止する。
【００３５】
引手２は、図５に示すように、円弧状の引手本体４の裏面に平行状に連続して突出する一対の突出部５を設け、この突出部５の中央に引手取付杆１８と胴体１の後口部２８との間に形成した間隙部４７を通過でき、かつ爪杆１９の作動凹部３９に挿通できる枢軸６を架設する。引手本体４の裏面で突出部５間に引手取付杆１８の上側表面を遊嵌できる凹陥部８を設け、一対の突出部５の両端は開放された開放部７を設けて、引手本体４を引手取付杆１８に対する装設を容易にする。また突出部５の両端の隅角部９は引手２を取り付け、スライダーの前後に揺動させるとき支点となるように形成する。さらに一対の突出部５の両外側縁部１０は、引手２をスライダーの左右に揺動させるとき支点となるように形成し、引手２の操作を円滑に行う。
【００３６】
なお引手本体４の形状または表面の装飾部１１は随意に採択でき、例えば図９に示すように引手本体４にアリ溝または下辺が拡がる透孔５４を設けて、引手本体４の表面に硬質プラスチックまたは軟質プラスチックを被着して装飾部１１を成形した引手２を作製することもできる。また図６に示す引手２は変形例を示すものであり、引手本体４の裏面に形成する一対の突出部５が連続状でなく断続状に形成し、中央の突出部５に枢軸６を架設し、その外側の突出部５は過度の揺動を防ぐものである。
【００３７】
スライダーの組み立ては、図１に示すように最初に閉鎖体２０をスプリング３２を介在させて、上翼板１５上の摺動凹部２３に沿って挿入し前進させた後、摺動凹部２３に沿って挿入し前進させた後、摺動凹部２３の入口両側に設けた小突起３０を摺動凹部２３に向けて圧潰し、閉鎖体２０の脱落を防いで収容する。次に取付片２１間に爪杆１９を収納するとともに、当接部４０と胴体１との間にスプリング４１を配し、その上方から引手取付杆１８を被覆し、基部４３を取付溝２７に嵌入するとともに、取付片２１の軸孔２６、爪杆１９の軸孔３７および引手取付杆１８の軸孔４５を整合させてピン５３を挿通して、かしめ固定することによりスライダーを組み立てる。
【００３８】
組み立てられたスライダーに引手２を取り付けるには、図２に示すように、引手取付杆１８の間隙部４７側から引手本体４の一対の突出部５を挿入し、枢軸６によって閉鎖体２０を内方へ押圧し、枢軸６を閉鎖体２０の凹部３６に仮収容し、さらに閉鎖体２０を押し込むと、閉鎖体２０が停止し、凹部３６に収容された枢軸６が、突起部３５を乗り越えると同時に、爪杆１９の端部を押し上げて枢軸６は爪杆１９の作動凹部３９に挿入させることにより、引手取付杆１８の収容部４６へ収容して引手２は組み込まれ、閉鎖体２０はスプリング３２の弾力により初期の位置に復帰する。また、引手本体４は爪杆１９の一端に配したスプリング４１によって、爪杆１９は作動凹部３９を下方へ付勢させると同時に、引手本体４の枢軸６を胴体１の上翼板１５上へ押し付ける形になり、これにより引手本体４の突出部５を上翼板１５上へ圧接するため、引手本体４は妄りに揺動することがない。
【００３９】
スライダーの引手操作は、図７，８に示すように、引手本体４の前端または後端を摘み上げて引手取付杆１８内に配設した爪杆１９を持ち上げることにより、停止爪３８をファスナーエレメントから脱却させ、スライダーを前後方向へ摺動させることができる。また使用中に引手２を交換したいときは、閉鎖体２０を尖鋭な道具で押し込んで、引手本体４の後口側を持ち上げて、枢軸６を閉鎖体２０の凹部３６に移動させて、閉鎖体２０を初期の位置へ戻すことにより、枢軸６を引手取付杆１８の退避凹部４８に移し、引手本体４の後端を持ち上げたまま、閉鎖体２０を押圧して枢軸６よりも奥へ前進させると枢軸６を取り外すことができ、引手を交換することができる。
【実施例２】
【００４０】
図３に示す実施例２のスライドファスナー用スライダーは、引手後付けタイプの自由スライダーであり、スライダーの胴体１は上翼板１５と下翼板１６とを案内柱１７で連結し、上翼板１５の上面で案内柱１７の上側に側面形状が略鍵形で先端が内向に曲折した形状の引手取付杆１８を片持状に配設し、この引手取付杆１８の先端には上翼板１５との間に引手本体４の枢軸６が通過できる間隙部４７を設けるとともに、上翼板１５には間隙部４７を閉鎖し、閉鎖体２０を摺動させることができる摺動凹部２３を設け、この摺動凹部２３の両側壁に閉鎖体２０をガイドできる案内溝２４を設け、また摺動凹部２３の中央にはスプリング３２を挿入できる挿入溝２５を設けるとともに、摺動凹部２３は途中から閉鎖体２０の両脚部５２が挿入できる挿入孔２９を上翼板１５に横設し、挿入孔２９の端部は閉鎖体２０の挿入動作を阻止するための停止部４２を形成し、また両側壁の端部には小突起３０を突設して摺動凹部２３へ圧潰することにより、摺動凹部２３に配された閉鎖体２０の摺動凹部２３からの脱落するのを防止する。
【００４１】
摺動凹部２３に配される閉鎖体２０は、平板状の基板５１の先端が二叉状に分岐して脚部５２を設け、この脚部５２間にスプリング３２を配し、スプリング３２は摺動凹部２３の挿入溝２５から上翼板１５に横設した挿入孔２９内へ挿入して閉鎖体２０に弾発性を付与する。基板４１の上面には引手取付杆１８の先端と上翼板１５との間に設けた間隙部４７を閉鎖することができる突起部３５を突設する。
【００４２】
引手２は実施例１の引手２と同一形態の引手２を使用するが、できれば突出部５の長さを短く形成して、引手２の揺動の際、隅角部９が上翼板１５の上面に接するように形成するか、または引手取付杆１８の引手２を収容する収容部４６を縮小化して突出部５の隅角部９がファスナーチエン上に接触できない形状に形成するのがよい。
【００４３】
スライダーの組み立ては、図３に示すように摺動凹部２３の挿入溝２５から挿入孔２９に向けてスプリング３２を挿入し、閉鎖体２０の基板５１を摺動凹部２３に沿って挿入して前進させ、両脚部５２間でスプリング３２を捕捉させた後、摺動凹部２３の両側に設けた小突起３０を摺動凹部２３へ向けて圧潰し、閉鎖体２０の胴体１からの脱落を阻止してスライダーを組み立てる。
【００４４】
組み立てられたスライダーに引手２を取り付けるには、図４に示すように引手取付杆１８の間隙部４７側から引手本体４の一対の突出部５を挿入し、枢軸６によって閉鎖体２０を内方へ押圧し、枢軸６を引手取付杆１８の収容部４６に収容して引手２を取り付ける。引手２の操作は前例と同様であるが、引手取付杆１８の収容部４６が長いので、引手２が前後に可動し、突出部５の途中で胴体１の端部に接触するから、前述のように突出部５を短小化するか、または突出部５の隅角部９を円弧状に形成してファスナーチエンと接触するのを防ぐか、あるいは収容部４６を小型化に形成して、枢軸６の前後への可動を少なくするとよい。引手２の交換は尖鋭な道具によって、閉鎖体２０を収容部４６内へ押し込んで、間隙部４７を開放して枢軸６を取り外して引手２を交換する。
【００４５】
その他、図示はしないが引手後付けタイプの自由スライダーであって、側面形状が略鍵形を呈し先端が内向きへ曲折した引手取付杆を胴体の上翼板の後口側に片持状に配設し、案内柱に対し下方にコイルスプリング、その上方に閉鎖体を配設して引手取付杆と胴体との間隙部を閉鎖可能に形成し、このスライダーに引手本体を胴体の肩口側から引手取付杆に挿入して保持させる引手後付けタイプのスライダーにも、この発明の引手本体を適用することができ、いずれの形態の引手後付けタイプのスライダーにも引手本体を容易に適用できるものである。
【産業上の利用可能性】
【００４６】
この発明のスライドファスナー用スライダーは、装飾的要素を重視した衣服、鞄などの開口部の止具として用いるスライドファスナー用スライダーであり、引手に装飾デザインを施し、ワンポイントとして使用する各種の飾りボタンタイプの引手であり、使用中に飾りボタン的な引手を交換したいとき自由に交換できる機構を備えた、引手後付けタイプのスライダーの引手として活用する。
【図面の簡単な説明】
【００４７】
【図１】実施例１の引手後付けタイプの自動停止装置付スライダーの分解斜視図である。
【図２】同上スライダーの断面図である。
【図３】実施例２の引手後付けタイプの自由スライダーの分解斜視図である。
【図４】同上スライダーの断面図である。
【図５】引手の裏面斜視図である。
【図６】引手の変形例を示す裏面斜視図である。
【図７】引手の後端を操作したときの自動停止装置付スライダーの一部切欠した側面図である。
【図８】引手の前端を操作したときの自動停止装置付スライダーの一部切欠した側面図である。
【図９】装飾引手を備えた自動停止装置付スライダーの一部切欠した側面図である。
【図１０】公知の装飾的引手を有する自由スライダーの断面図である。
【図１１】他の公知の装飾的引手を有する自動停止装置付スライダーの分解斜視図である。
【符号の説明】
【００４８】
１            胴体
２            引手
４            引手本体
５            突出部
６            枢軸
７            開放部
８            凹陥部
９            隅角部
１０            外側縁部
１５            上翼板  
１７            案内柱
１８            引手取付杆
１９            爪杆
２０            閉鎖体
４６            収容部
４７            間隙部
【図１】
2005176911.tif 000003
【図２】
2005176911.tif 000004
【図３】
2005176911.tif 000005
【図４】
2005176911.tif 000006
【図５】
2005176911.tif 000007
【図６】
2005176911.tif 000008
【図７】
2005176911.tif 000009
【図８】
2005176911.tif 000010
【図９】
2005176911.tif 000011
【図１０】
2005176911.tif 000012
【図１１】
2005176911.tif 000013